(57)【要約】【課題】原稿に印されている各マーカーの色が近似していても、これらのマーカーの色を正確に識別する。【解決手段】本発明の画像処理装置は、原稿を読み取って、画像データを取得する画像読取部１１０と、画像データに基づき、原稿に印されている基準マーカーを検出するマーカー検出部１０４と、画像データに基づき、基準マーカーの色相を検出する色相検出部１０５と、基準マーカーの色相を記憶している記憶部１７０と、色相検出部１０５により検出された任意のマーカーの色相が記憶部１７０に記憶されている基準マーカーの色相に一致又は近似するか否かを判定する制御部１０１と、を備える。【選択図】図２
2017228974.tif 000002
【特許請求の範囲】
【請求項１】
原稿を読み取って、該原稿の画像を示す画像データを取得する読取部と、
前記画像データに基づき、前記原稿に印されている任意のマーカーを検出する第１検出部と、
前記画像データに基づき、前記第１検出部により検出された前記任意のマーカーの色相を検出する第２検出部と、
基準マーカーの色相を記憶している記憶部と、
前記第２検出部により検出された任意のマーカーの色相が前記記憶部に記憶されている前記基準マーカーの色相に一致又は近似するか否かを判定する制御部と、を備える画像処理装置。
【請求項２】
前記記憶部には、前記基準マーカーの色相を規定する色相閾値が記憶され、
前記制御部は、前記任意のマーカーの色相と前記記憶部に記憶されている前記色相閾値を比較して、該任意のマーカーの色相が前記基準マーカーの色相に一致又は近似するか否かを判定する請求項１に記載の画像処理装置。
【請求項３】
前記読取部は、前記基準マーカーが印された原稿を読み取って、該原稿の画像を示す画像データを取得し、
前記第１検出部は、前記画像データに基づき、前記原稿に印されている前記基準マーカーを検出し、
前記第２検出部は、前記画像データに基づき、前記基準マーカーの色相を検出し、
前記制御部は、前記基準マーカーの色相に基づき前記色相閾値を設定する、請求項２に記載の画像処理装置。
【請求項４】
前記第１検出部は、前記原稿に印されている複数色の基準マーカーをそれぞれ検出し、
前記第２検出部は、前記複数色のマーカーの色相をそれぞれ検出し、
前記制御部は、前記複数色のマーカーの色相の中間値を前記色相閾値として求める、請求項２に記載の画像処理装置。
【請求項５】
前記記憶部には、複数の基準マーカーの色相が記憶され、
前記記憶部に記憶されている前記各基準マーカーの色相のうちから、前記任意のマーカーの色相の判定に用いられる基準マーカーの色相を指定する操作部を備える、請求項１に記載の画像処理装置。
【請求項６】
前記記憶部には、更に、複数の基準マーカーの色相が、マーカーを製造する製造業者の名称、および、マーカーを識別するための識別番号に対応付けられて記憶されており、
前記制御部は、前記操作部がユーザーからの操作に応じて前記製造業者の名称および前記識別番号を受け付けた場合、当該受け付けた前記製造業者の名称および前記識別番号に対応する色相を前記記憶部から読み出して、当該読み出した色相に基づき前記色相閾値を設定する、請求項５に記載の画像処理装置。
【請求項７】
前記マーカーは、蛍光マーカーペンにより印されたマーカーである、請求項１乃至請求項６のいずれか１つに記載の画像処理装置。
【請求項８】
前記第１検出部は、前記原稿の画像の明度又は彩度を予め設定された明度閾値又は彩度閾値と比較して、前記基準マーカーを検出する請求項７に記載の画像処理装置。
【請求項９】
前記制御部により前記基準マーカーの色相に一致又は近似すると判定された前記任意のマーカーの領域に対して編集処理を施す編集部を、備える請求項１乃至請求項８のいずれか１つに記載の画像処理装置。
【請求項１０】
前記記憶部には、前記基準マーカーの色相に対応付けて識別情報及び編集処理が記憶され、
前記編集部は、前記基準マーカーの色相に対応する識別情報及び編集処理を前記任意のマーカーの領域に適用する、請求項９に記載の画像処理装置。
【請求項１１】
前記画像データを解析して、前記原稿におけるテキストを抽出するテキスト抽出部を備え、
前記編集部は、前記テキスト抽出部により前記原稿におけるテキストが抽出されると、前記任意のマーカーの領域のテキストに対して編集処理を施す、請求項９又は請求項１０に記載の画像処理装置。
【発明の詳細な説明】
【技術分野】
【０００１】
本発明は、原稿を読み取って、この原稿に印されているマーカーを検出する画像処理装置に関し、特にマーカーの色を判定するための技術に関する。
【背景技術】
【０００２】
例えば、特許文献１では、マーカーペンで塗りつぶされた用紙の登録領域をスキャナーで読み取って、マーカーペンの色成分を登録したり解除したりしている。そして、原稿に印されているマーカーの色成分が予め登録されているマーカーペンの色成分に一致又は近似するか否かを判定し、一致又は近似すると判定すると、マーカーで指定された該原稿の編集範囲に対して画像処理を施している。
【０００３】
また、特許文献２では、蛍光マーカーペンによるマーカーの反射率が高いことに着眼して、スキャナーにより読み取られた原稿の画像におけるマーカーの色の濃度に基づきマーカーを抽出している。これにより、マーカーが原稿のカラー画像と区別して抽出される。
【先行技術文献】
【特許文献】
【０００４】
【特許文献１】特開平０６−２８４２７０号公報
【特許文献２】特開平０５−３４４３１４号公報
【発明の概要】
【発明が解決しようとする課題】
【０００５】
ところで、原稿上のマーカーには濃度むらが生じることがある。このため、複数色のマーカーが用いられて、これらのマーカーの色が近似している場合は、それらのマーカーの色を正確に識別することが困難になる。例えば、上記特許文献１のようにマーカーの色成分に基づく判定では、マーカーの濃度むらの影響を受け易く、マーカーの色を正確に識別することができない。また、上記特許文献２においては、マーカーの色を正確に識別するための技術的な記載がない。
【０００６】
本発明は、上記の事情に鑑みなされたものであり、原稿に印されている各マーカーの色が近似していても、これらのマーカーの色を正確に識別することを目的とする。
【課題を解決するための手段】
【０００７】
本発明の一局面にかかる画像処理装置は、原稿を読み取って、該原稿の画像を示す画像データを取得する読取部と、前記画像データに基づき、前記原稿に印されている任意のマーカーを検出する第１検出部と、前記画像データに基づき、前記第１検出部により検出された前記任意のマーカーの色相を検出する第２検出部と、基準マーカーの色相を記憶している記憶部と、前記第２検出部により検出された任意のマーカーの色相が前記記憶部に記憶されている前記基準マーカーの色相に一致又は近似するか否かを判定する制御部と、を備えるものである。
【発明の効果】
【０００８】
本発明によれば、原稿に印されている各マーカーの色が近似していても、これらのマーカーの色を正確に識別することができる。
【図面の簡単な説明】
【０００９】
【図１】本発明の一実施形態にかかる画像処理装置が適用された画像形成装置を示す斜視図である。
【図２】本発明の一実施形態にかかる画像処理装置が適用された画像形成装置の内部構成を示すブロック図である。
【図３】各基準マーカーの色相、該各基準マーカーのラベル、及びそれぞれの編集処理を対応付けて登録したデータテーブルを示す図である。
【図４】複数色の基準マーカーの色相を示すグラフである。
【図５】本実施形態の画像形成装置による任意のマーカーの色相判定などの処理手順を示すフローチャートである。
【図６】複数色の任意のマーカーが印された原稿を示す図である。
【図７】編集後の原稿を示す図である。
【図８】本実施形態の画像形成装置による基準マーカーを規定する色相閾値などを設定するための処理手順を示すフローチャートである。
【図９】複数色の基準マーカーが印された原稿を示す図である。
【図１０】画像形成装置の表示部の画面に表示された記入表を示す図である。
【図１１】(Ａ)は、表示部に表示される画面の一例を示す図であり、（Ｂ）は、記憶部に記憶される情報の一例を示す図である。
【発明を実施するための形態】
【００１０】
以下、本発明の一実施形態にかかる画像処理装置について図面を参照して説明する。
【００１１】
図１は、本発明の一実施形態にかかる画像処理装置が適用された画像形成装置を示す斜視図である。図２は、画像形成装置の内部構成を示すブロック図である。本実施形態の画像形成装置１０は、例えば、コピー機能、プリンター機能、スキャナー機能、及びファクシミリ機能などの複数の機能を兼ね備えた複合機である。この画像形成装置１０は、画像読取部１１０、画像形成部１２０、記憶部１７０、給紙部１３、及び排出トレイ１４などから概略構成される。
【００１２】
画像形成装置１０が画像読取動作を行う場合、後述する動作制御部１０２による制御のもと、画像読取部１１０が原稿載置台１１１に載置された原稿を読み取り、原稿の画像を示す画像データを生成する。この画像データは、画像メモリー１６０に記憶（保存）される。
【００１３】
画像形成装置１０が画像形成動作を行う場合は、画像メモリー１６０に記憶された画像データに基づいて、動作制御部１０２による制御のもと、画像形成部１２０が給紙部１３から給紙される記録紙にトナー像を形成する。この後、記録紙上に形成されたトナー像は、不図示の定着部により熱定着される。定着処理の完了した画像形成済みの記録紙は、排出トレイ１４に排出される。
【００１４】
また、装置本体の前面には、操作部１５０及び表示部１３０が配置されている。表示部１３０は、液晶ディスプレイ（ＬＣＤ：Liquid Crystal Display）や有機ＥＬ（ＯＬＥＤ：Organic Light-Emitting Diode）ディスプレイを備えている。
【００１５】
表示部１３０の画面には、タッチパネル１４０が配置されている。タッチパネル１４０は、所謂抵抗膜方式や静電容量方式などのタッチパネルであって、操作部として機能し、タッチパネル１４０に対するユーザーの指などの接触（タッチ）をその接触位置とともに検知する。
【００１６】
操作部１５０は、例えば、メニューを呼び出すメニューキー、メニューを構成するＧＵＩにおけるフォーカスを移動させる矢印キー、メニューを構成するＧＵＩに対して確定操作を行う決定キー、スタートキーなどを備えている。
【００１７】
記憶部１７０は、画像データ、各種のプログラム、データテーブルなどを記憶するＳＳＤ、ＨＤＤからなる大容量の記憶装置である。
【００１８】
画像形成装置１０は、更に、制御ユニット１００を備えている。制御ユニット１００は、ＣＰＵ（Central Processing Unit）、ＲＡＭ(Random Access Memory）、及びＲＯＭ（Read Only Memory）などから構成される。制御ユニット１００は、上記のＲＯＭまたは記憶部１７０に記憶されているプログラムが上記のＣＰＵで実行されることにより、制御部１０１、動作制御部１０２、操作受付部１０３、マーカー検出部１０４、色相検出部１０５、ＯＣＲ処理部１０６、及び編集部１０７として機能する。なお、制御ユニット１００の上記の各構成は、プログラムに基づく動作によらず、それぞれハード回路により構成されてもよい。
【００１９】
制御部１０１は、画像形成装置１０の全体的な動作制御を司る。
【００２０】
操作受付部１０３は、タッチパネル１４０から出力される検知信号に基づき、タッチパネル１４０に対するユーザー操作を受け付ける機能を有する。また、操作受付部１０３は、操作部１５０のハードキーに対するユーザー操作を受け付ける機能を有する。
【００２１】
動作制御部１０２は、画像読取部１１０による画像読取動作や表示部１３０による表示動作などを制御する。
【００２２】
マーカー検出部１０４（第１検出部）は、画像読取部１１０が取得した原稿の画像を示す画像データから該画像の明度データを生成し、この画像の明度データに基づき、蛍光マーカーペンにより原稿に印されたマーカーの領域を検出する。ここで、画像の明度データは、該画像の各画素の明度を示すものである。また、蛍光マーカーペンによるマーカーの領域は、原稿における他の領域よりも光の反射率が高く、該マーカーの領域の各画素の明度が他の領域の各画素の明度よりも高くなる。このため、マーカーの領域の各画素の明度よりも僅かに低い明度閾値Ｍｈを予め設定しておけば、該画像の明度データに基づき、明度閾値Ｍｈよりも高い明度の各画素からなる領域をマーカーの領域として求めることができる。
【００２３】
なお、原稿の画像を示す画像データから該画像の明度データを生成する代わりに、該画像の彩度データを生成し、この画像の彩度データに基づき、予め設定された彩度閾値よりも高い彩度の各画素からなる領域をマーカーの領域として求めもよい。
【００２４】
色相検出部１０５（第２検出部）は、画像読取部１１０が取得した原稿の画像を示す画像データから該画像の色相データを生成し、該画像の色相データに基づき、マーカー検出部１０４により検出されたマーカーの領域の色相を検出する。ここで、画像の色相データは、該画像の各画素の色相を示すものであって、マーカーの領域の色相を該画像の各画素の色相から抽出することができる。
【００２５】
ＯＣＲ処理部１０６（テキスト抽出部）は、画像読取部１１０が取得した原稿の画像を示す画像データを解析して、原稿におけるテキストを抽出する機能を有する。
【００２６】
編集部１０７は、マーカー検出部１０４により検出されたマーカーの領域に対して編集処理を施す。例えば、マーカーの領域にテキストが含まれる場合は、編集処理を該テキストに対して施す。また、マーカーの領域に写真や図形が含まれる場合は、編集処理を該写真や図形に対して施す。あるいは、マーカーの領域を削除したりコピーしたりする。
【００２７】
ここで、本実施形態では、ユーザーが、複数色の蛍光マーカーペンを用いて、幾つかの任意のマーカーを原稿に印し、この原稿を画像読取部１１０にセットして、画像読取部１１０により該原稿の画像を読み取らせると、マーカー検出部１０４により該原稿の画像における各任意のマーカーの領域が抽出されて、色相検出部１０５により該各任意のマーカーの色相が検出される。このとき、制御部１０１は、任意のマーカー毎に、任意のマーカーの色相が予め設定された複数の基準マーカーの色相のいずれに一致又は近似するかを判定する。そして、編集部１０７は、任意のマーカーの領域毎に、任意のマーカーの色相に一致又は近似すると判定された基準マーカーの色相に対応する編集処理を該任意のマーカーの領域に施す。
【００２８】
従って、複数の基準マーカーの色相に対応する様々な編集処理を予め設定しておけば、これらの編集処理を任意のマーカーの領域に選択的に施すことができる。
【００２９】
また、複数の任意のマーカーの色が近似していても、任意のマーカーの色相に一致又は近似する基準マーカーの色相を判定することにより、任意のマーカーの色を正確に識別することができる。これは、任意のマーカーの色（色成分）は、明度、彩度、及び色相を含むものであって、マーカーの濃度むらの影響を受け易いが、基準マーカーの色相と任意のマーカーの色相の比較においては、マーカーの濃度むらの影響を受け難く、色相の識別を正確に行い得るためである。
【００３０】
このように基準マーカーの色相に対応する編集処理を実施するには、図３に示すような複数色の蛍光マーカーペンによるそれぞれの基準マーカーの色相、該各基準マーカーのラベル（識別情報）、及びそれぞれの編集処理を対応付けて登録したデータテーブルＤを記憶部１７０に予め記憶しておく必要がある。
【００３１】
図３に示すデータテーブルＤにおいて、複数色の蛍光マーカーペンによる各基準マーカーの色相は、例えば該各基準マーカーＭａ、Ｍｂ、Ｍｃ、…の色相のピーク値ｍａ、ｍｂ、ｍｃ、…で表されている。図４は、各基準マーカーＭａ、Ｍｂ、Ｍｃ、…の色相のピーク値ｍａ、ｍｂ、ｍｃ、…を概念的に示すグラフである。図４のグラフに示すように基準マーカーの色相は、該基準マーカーの色相の中心付近で最も高くなる特性を有しており、この中心付近の値がピーク値として求められる。
【００３２】
また、各ラベル（識別情報）Ｌａ、Ｌｂ、Ｌｃ、…は、例えば蛍光マーカーペンの製造会社及び色の名称からなる。複数色の蛍光マーカーペンを用いる場合、同じ色の名称であっても、該各蛍光マーカーペンの製造会社が異なれば、該各蛍光マーカーペンによるそれぞれのマーカーの色相が異なるため、ラベルとして蛍光マーカーペンの製造会社及び色の名称を設定している。
【００３３】
また、それぞれの編集処理は、上記のように編集部１０７により任意のマーカーの領域に対して施される処理である。
【００３４】
更に、上記の編集処理を実施するために、データテーブルＤとは別に、任意のマーカーの色相の識別に用いられる色相閾値が記憶部１７０に予め記憶されている。図４のグラフに示すように各基準マーカーＭａ、Ｍｂ、Ｍｃ、…の色相には、それぞれのピーク値ｍａ、ｍｂ、ｍｃ、…があり、基準マーカーの色相のピーク値と該基準マーカーに隣り合う他の基準マーカーの色相のピーク値との中間値が色相閾値として設定される。ここでは、各色相閾値Ｓａｈ、Ｓｂｈ、…が設定されて記憶部１７０に予め記憶されている。
【００３５】
次に、画像読取部１１０により原稿を読み取り、原稿の画像における任意のマーカーの色相を識別して、ラベル及び編集処理を任意のマーカーの領域に適用するための処理手順を、図５に示すフローチャート等を参照して詳しく説明する。
【００３６】
まず、ユーザーは、操作部１５０を操作して、図３に示すデータテーブルＤの表示を指示する。制御部１０１は、その指示が操作受付部１０３で受け付けられると、データテーブルＤを記憶部１７０から読み出して表示部１３０の画面に表示する。そして、ユーザーは、表示部１３０の画面に表示されているデータテーブルＤにおける各ラベルを参照して、自分が用いる蛍光マーカーペンの製造会社及び色の名称がデータテーブルＤに登録されていることを確認し、データテーブルＤにおけるその蛍光マーカーペンの表示箇所にタッチ操作する。このタッチ操作は、タッチパネル１４０により検出されて、操作受付部１０３で受付けられる。制御部１０１は、そのタッチ操作が受け付けられると、記憶部１７０に記憶されている複数の色相閾値のうちから、そのタッチ操作された表示箇所の基準マーカーの色相のピーク値に近い前後の色相閾値を選択する（ステップＳ１０１）。このとき、データテーブルＤにおける複数の蛍光マーカーペンの表示箇所がタッチ操作された場合は、蛍光マーカーペン毎に、基準マーカーの色相のピーク値に近い前後の色相閾値が選択される。これにより、ユーザーが用いる蛍光マーカーペンによる任意のマーカーの色相を識別するのに最も適した色相閾値が選択される。
【００３７】
ここでは、ユーザーが用いる幾つかの蛍光マーカーペンによるそれぞれの任意のマーカーの色相を識別するのに最も適した複数の色相閾値として、図４のグラフに示す各色相閾値Ｓａｈ、Ｓｂｈが選択されたものとする。
【００３８】
この後、ユーザーは、例えば図６に示すような原稿Ｇ１を画像読取部１１０にセットし、操作部１５０を操作して、原稿Ｇ１の読み取りを指示すると共に任意のマーカーの検出を指示する。原稿Ｇ１の読み取りの指示が操作受付部１０３で受け付けられると、動作制御部１０２は、画像読取部１１０を作動させて、画像読取部１１０による原稿Ｇ１の読み取りを行わせる（ステップＳ１０２）。画像読取部１１０は、原稿Ｇ１の画像を示す画像データを生成して画像メモリー１６０に記憶させる。
【００３９】
また、任意のマーカーの検出の指示が操作受付部１０３で受け付けられると、マーカー検出部１０４は、画像メモリー１６０内の画像データから該画像の明度データを生成し、該画像の明度データに基づき、該画像の画素毎に、画素の明度を明度閾値Ｍｈと比較して、明度閾値Ｍｈよりも高い明度の各画素からなる領域を任意の基準マーカーの領域として求める（ステップＳ１０３）。これにより、原稿Ｇ１に印されている各任意のマーカーＮ１、Ｎ２、Ｎ３、…の領域が求められる。
【００４０】
そして、色相検出部１０５は、画像メモリー１６０内の画像データから該画像の色相データを生成し、該画像の色相データに基づき、マーカー検出部１０４により検出された各任意のマーカーＮ１、Ｎ２、Ｎ３、…の色相を検出して、各任意のマーカーＮ１、Ｎ２、Ｎ３、…の色相のピーク値ｎ１、ｎ２、ｎ３、…を求める（ステップＳ１０４）。
【００４１】
制御部１０１は、各任意のマーカーＮ１、Ｎ２、Ｎ３、…の色相のピーク値ｎ１、ｎ２、ｎ３、…をステップＳ１０１において選択された各色相閾値Ｓａｈ、Ｓｂｈと比較して、各任意のマーカーＮ１、Ｎ２、Ｎ３、…別に、任意のマーカーの色相が各基準マーカーＭａ、Ｍｂ、Ｍｃの色相のいずれに一致又は近似するかを判定する（ステップＳ１０５）。例えば、任意のマーカーＮ１の色相のピーク値ｎ１が色相閾値Ｓａｈ未満である場合は、任意のマーカーＮ１の色相が基準マーカーＭａの色相に一致又は近似すると判定する。また、任意のマーカーＮ２の色相のピーク値ｎ２が色相閾値Ｓａｈ以上かつ色相閾値Ｓｂｈ未満である場合は、任意のマーカーＮ２の色相が基準マーカーＭｂの色相に一致又は近似すると判定する。
【００４２】
そして、編集部１０７は、図３に示すデータテーブルＤを参照して、各任意のマーカーＮ１、Ｎ２、Ｎ３、…別に、任意のマーカーの色相に一致又は近似すると判定した基準マーカーの色相に対応するラベル及び編集処理を読み出して、該任意のマーカーの領域にそのラベルを付与すると共にその編集処理を適用し（ステップＳ１０６）、該任意のマーカーの領域に対して編集処理を施す（ステップＳ１０７）。例えば、ＯＣＲ処理部１０６により原稿におけるテキストが抽出されると、編集部１０７は、任意のマーカーが印された領域又は任意のマーカーで囲まれた領域のテキストを削除したり抽出したりする。また、任意のマーカーが印された領域又は任意のマーカーで囲まれた領域の写真や図形を削除したり抽出したりする。
【００４３】
図７に示す例では、編集部１０７は、図６に示す原稿Ｇ１からマーカーＮ１が印された領域のテキストを削除する処理を行っている。また、編集部１０７は、テキストを削除する処理を行っていないマーカー箇所、すなわち、図６に示すマーカーＮ２およびマーカーＮ３については、テキスト、写真、図形等を削除せずに、マーカーのみを削除する処理を行っている。
【００４４】
このように本実施形態では、原稿の画像における任意のマーカーの色相を検出し、任意のマーカーの色相が各基準マーカーの色相のいずれに一致又は近似するかを判定しているので、つまりマーカーの色相を比較しているので、マーカーの濃度むらの影響を受け難く、原稿に印されている複数の任意のマーカーの色が近似していても、これらの任意のマーカーの色を正確に識別することができる。
【００４５】
また、複数色の基準マーカーの色相、ラベル、及び編集処理を対応付けておき、任意のマーカーの色相に一致又は近似する基準マーカーの色相に対応するラベル及び編集処理を該任意のマーカーの領域に適用しているので、原稿の画像に対して多用な編集処理を施すことができる。例えば、ラベルとして、蛍光マーカーペンの製造会社及び色の名称の他に、「見出し」、「本文」、「写真」、及び「図形」などを設定すると共に、編集処理として任意のマーカーが印された領域又は任意のマーカーで囲まれた領域のテキスト、写真、図形の抽出を設定しておき、それらの領域のテキスト、写真、図形を抽出して、この抽出したテキスト、写真、図形をそれぞれのラベルと共に記憶部１７０に一旦記憶する。そして、テキスト、写真、図形をそれぞれのラベルと共に記憶部１７０から読み出して表示部１３０の画面に表示する。ユーザーは、それぞれのラベル「見出し」、「本文」、「写真」、及び「図形」などを参照しつつ、タッチパネル１４０や操作部１５０を操作して、テキスト、写真、図形を適宜レイアウトして編集する。
【００４６】
次に、各基準マーカーＭａ、Ｍｂ、Ｍｃ、…を規定するそれぞれの色相閾値Ｓａｈ、Ｓｂｈ、Ｓｃｈ、…及び図３に示すデータテーブルＤの設定手順を、図８に示すフローチャートなどを参照して説明する。
【００４７】
まず、ユーザーは、複数色の蛍光マーカーペンを用いて、図９に示すように白地の原稿Ｇ２にそれぞれの基準マーカーＭａ、Ｍｂ、Ｍｃ、…を印し、この原稿Ｇ２を画像読取部１１０にセットし、操作部１５０を操作して、原稿Ｇ２の読み取りを指示すると共に基準マーカーの検出を指示する。原稿Ｇ２の読み取りの指示が操作受付部１０３で受け付けられると、動作制御部１０２は、画像読取部１１０を作動させて、画像読取部１１０により原稿Ｇ２の読み取りを行わせる（ステップＳ２０１）。画像読取部１１０は、原稿Ｇ２の画像を示す画像データを生成して、この画像データを画像メモリー１６０に記憶させる。
【００４８】
また、基準マーカーの検出の指示が操作受付部１０３で受け付けられると、マーカー検出部１０４は、画像メモリー１６０内の画像データから該画像の明度データを生成し、該画像の明度データに基づき、該画像の画素毎に、画素の明度を予め設定された明度閾値Ｍｈと比較して、明度閾値Ｍｈよりも高い明度の各画素からなる領域を基準マーカーの領域として求める（ステップＳ２０２）。これにより、各基準マーカーＭａ、Ｍｂ、Ｍｃ、…の領域が求められる。
【００４９】
そして、色相検出部１０５は、画像メモリー１６０内の画像データから該画像の色相データを生成し、該画像の色相データに基づき、マーカー検出部１０４により検出された基準マーカーの色相を検出して、各基準マーカーＭａ、Ｍｂ、Ｍｃ、…の色相のピーク値ｍａ、ｍｂ、ｍｃ、…を求める（ステップＳ２０３）。
【００５０】
更に、制御部１０１は、各基準マーカーＭａ、Ｍｂ、Ｍｃ、…の色相のピーク値ｍａ、ｍｂ、ｍｃ、…の中間値をそれぞれの色相閾値Ｓａｈ、Ｓｂｈ、Ｓｃｈ、…として設定し、これらの色相閾値Ｓａｈ、Ｓｂｈ、…を記憶部１７０に記憶させる（ステップＳ２０４）。
【００５１】
この後、制御部１０１は、図１０に示すような各基準マーカーＭａ、Ｍｂ、Ｍｃ、…の色相（例えば各ピーク値ｍａ、ｍｂ、ｍｃ、…）、該各基準マーカーＭａ、Ｍｂ、Ｍｃ、…のラベル（識別情報）Ｌａ、Ｌｂ、Ｌｃ、…、及びそれぞれの編集処理を対応付けた記入表Ｋを表示部１３０の画面に表示させる（ステップＳ２０５）。
【００５２】
この記入表Ｋにおいて、各基準マーカーのラベルは、例えば該各基準マーカーの検出順序で初期設定されている。ユーザーは、操作部１５０を操作してラベルを適宜書き換えることができ、ラベルとして、基準マーカーを印すのに用いられた蛍光マーカーペンの製造会社及び色の名称、あるいは「見出し」、「本文」、「写真」、及び「図形」などを書き込んで設定する。また、それぞれの編集処理は、ユーザーによる操作部１５０の操作で適宜設定される。例えば、予め設定された複数種類の編集処理が選択的に設定される。これにより、記入表Ｋが作成される（ステップＳ２０６）。
【００５３】
そして、ユーザーが操作部１５０を操作して記入表Ｋの作成終了を指示し、この指示が操作受付部１０３で受け付けられると、制御部１０１は、図１０の記入表Ｋに対応する図３に示すようなデータテーブルＤを作成して記憶部１７０に記憶させ（ステップＳ２０７）、図８の処理を終了する。
【００５４】
このように白地の原稿Ｇに印された複数色の基準マーカーＭａ、Ｍｂ、Ｍｃ、…が検出されて、各基準マーカーＭａ、Ｍｂ、Ｍｃ、…の色相を規定する各色相閾値Ｓａｈ、Ｓｂｈ、Ｓｃｈ、…が設定されて記憶部１７０に記憶され、各基準マーカーＭａ、Ｍｂ、Ｍｃ、…の色相、該各基準マーカーのラベルＬａ、Ｌｂ、Ｌｃ、…、及びそれぞれの編集処理を対応付けたデータテーブルＤが記憶部１７０に記憶される。
【００５５】
なお、図８のフローチャートに示す各色相閾値Ｓａｈ、Ｓｂｈ、Ｓｃｈ、…及びデータテーブルＤの設定手順は、一例に過ぎず、他の方法により各色相閾値Ｓａｈ、Ｓｂｈ、Ｓｃｈ、…及びデータテーブルＤを設定しても構わない。例えば、複数色の蛍光マーカーペンの色相の特性などが、蛍光マーカーペンの製造会社（メーカー）から提供されている場合には、その色相の特性を示す色相情報を記憶部１７０に予め記憶させておく。図１１（Ｂ）に示す例では、複数の基準マーカーの色相が、マーカーを製造する製造業者の名称、および、マーカーを識別するための識別番号に対応付けられて記憶部１７０に記憶されている。また、ネットワーク上のサーバーなどに当該色相情報が存在する場合には、制御部１０１は、当該サーバーなどと通信することで色相情報を取得してもよい。そして制御部１０１は、表示部１３０の画面に、蛍光マーカーペンのメーカー名および蛍光マーカーペンを識別するための識別番号（型番や製造番号等）の選択又は入力を受け付けるための画面を表示させる（図１１（Ａ）参照）。操作受付部１０３は、ユーザーによるタッチパネル１４０や操作部１５０の操作に応じて、蛍光マーカーペンのメーカー名および識別番号を受け付ける。制御部１０１は、操作受付部１０３が受け付けたメーカー名および識別番号に対応する色相情報を記憶部１７０から読み出して、当該読み出した色相情報を用いて、各色相閾値Ｓａｈ、Ｓｂｈ、Ｓｃｈ、…及びデータテーブルＤを設定する。
【００５６】
以上のように行うことで、ユーザーがマーカーペンのメーカー名および識別番号を指定するだけで、基準マーカーを規定する色相を設定することが可能となる。
【００５７】
また、色相閾値として、基準マーカーの色相のピーク値と該基準マーカーに隣り合う他の基準マーカーの色相のピーク値との中間値を適用しているが、この代わりに、基準マーカーの色相のピーク値を中心とする一定の色相範囲を規定する２つの値を適用してもよい。
【００５８】
また、上記実施形態では、本発明に係る画像処理装置として画像形成装置を例示しているが、これは一例に過ぎず、プリンターや他の電子機器、例えば、コピー機、ファクシミリ装置等の他の画像形成装置でもよく、更には他の種類の電子機器であってもよい。
【００５９】
また、図１乃至図１１を用いて説明した構成及び処理は、本発明の一実施形態に過ぎず、本発明を当該構成及び処理に限定する趣旨ではない。
【符号の説明】
【００６０】
１０    画像形成装置
１００  制御ユニット
１０１  制御部
１０２  動作制御部
１０３  操作受付部
１０４  マーカー検出部
１０５  色相検出部
１０６  ＯＣＲ処理部
１０７  編集部
１１０  画像読取部
１２０  画像形成部
１３０  表示部
１４０  タッチパネル
１５０  操作部
１６０  画像メモリー
１７０  記憶部
【図１】
2017228974.tif 000003
【図２】
2017228974.tif 000004
【図３】
2017228974.tif 000005
【図４】
2017228974.tif 000006
【図５】
2017228974.tif 000007
【図６】
2017228974.tif 000008
【図７】
2017228974.tif 000009
【図８】
2017228974.tif 000010
【図９】
2017228974.tif 000011
【図１０】
2017228974.tif 000012
【図１１】
2017228974.tif 000013